(57)【要約】【課題】スクイズ操作により液体を注出すると共に、注出された液体を計量可能とする液体注出容器において、更なる使い勝手の向上を図る。【解決手段】スクイズ操作により繰り返し弾性変形可能な胴部と、胴部の上端部に位置する口元部とを有する容器本体２と、容器本体２の口元部に装着キャップ６を介して取り付けられると共に、容器本体２の胴部をスクイズ操作することにより容器本体に収容された液体を注出する液体注出機構３と、装着キャップ６に取り付けられて、液体注出機構３より注出された液体を計り取る計量部材４とを備え、計量部材４が、その取付位置から前方に突出されて下向きに湾曲した液溜め部１０を有する。【選択図】図１
0003132606.tif 000002
【実用新案登録請求の範囲】
【請求項１】
スクイズ操作により繰り返し弾性変形可能な胴部と、前記胴部の上端部に位置する口元部とを有する容器本体と、
前記容器本体の口元部に装着キャップを介して取り付けられると共に、前記容器本体の胴部をスクイズ操作することにより前記容器本体に収容された液体を注出する液体注出機構と、
前記装着キャップに取り付けられて、前記液体注出機構より注出された液体を計り取る計量部材とを備え、
前記計量部材は、その取付位置から前方に突出されて下向きに湾曲した液溜め部を有することを特徴とする液体注出容器。
【請求項２】
前記液体注出機構は、前記容器本体内に垂下される吸引チューブと、前記吸引チューブと連通されて先端部が前記液溜め部の内側に臨む注出ノズルとを有し、
前記容器本体の胴部をスクイズ操作することによって、前記容器本体内で加圧された液体が前記吸引チューブを通じて前記注出ノズルの先端部より注出されることを特徴とする請求項１に記載の液体注出容器。
【請求項３】
前記計量部材には、容量を表す段差部が前記液溜め部の深さ方向に少なくとも１つ以上設けられていることを特徴とする請求項１又は２に記載の液体注出容器。
【請求項４】
前記液溜め部の底面中央部には、前記計量部材の先端部に向かって溝部が設けられていることを特徴とする請求項１〜３の何れか一項に記載の液体注出容器。
【請求項５】
前記計量部材は、透明又は半透明プラスチック材料からなることを特徴とする請求項１〜４の何れか一項に記載の液体注出容器。
【請求項６】
前記液溜め部の上面開口部の一部又は全てを覆うカバー部材を備えることを特徴とする請求項１〜４の何れか一項に記載の液体注出容器。
【請求項７】
前記カバー部材は、前記計量部材の基端部にヒンジ部を介して上下方向に回動自在に取り付けられていることを特徴とする請求項６に記載の液体注出容器。
【請求項８】
前記計量部材は、回動自在に取り付けられていることを特徴とする請求項１〜７の何れか一項に記載の液体注出容器。
【請求項９】
前記計量部材は、着脱自在に取り付けられていることを特徴とする請求項１〜８の何れか一項に記載の液体注出容器。
【請求項１０】
前記計量部材は、前記液溜め部の側面部から水平方向に延長された柄部を有し、前記柄部を構成する一対のアームが前記装着キャップの取付位置を挟み込んだ状態で前後方向にスライド可能に支持されることによって、前記装着キャップの取付位置に対して着脱自在とされていることを特徴とする請求項９に記載の液体注出容器。
【考案の詳細な説明】
【技術分野】
【０００１】
本考案は、スクイズ操作により液体を注出すると共に、注出された液体を計量可能とする液体注出容器の改良に関する。
【背景技術】
【０００２】
従来より、液体洗剤や、液体漂白剤、柔軟仕上げ剤などの液体製品があり、これらの液体製品は、スクイズ（押圧）操作により繰り返し弾性変形可能な容器本体（スクイズ容器）に収容されている。また、この容器本体の口元部には、内部の液体を注出するための注出キャップが設けられている。そして、このような液体製品を使用する場合は、通常は容器の口元部を下方に向けた状態で容器本体をスクイズ操作する。これにより、容器本体内で加圧された液体が注出キャップの注出口から注出されることになる。
【０００３】
一方、このようなスクイズ容器に収容された液体を計り取る計量キャップを備えたものもある（例えば、特許文献１，２を参照。）。この特許文献１，２に記載される計量キャップは、キャップ本体とカバーキャップとを有し、キャップ本体が計量室を形成し、容器本体内に吸引チューブが垂下されて、この吸引チューブに連通された注出ノズルが計量室の底面中央部から上方に向かって立ち上がり形成された構造を有している。そして、この計量キャップでは、カバーキャップを開けた状態から容器本体をスクイズ操作することによって、容器本体内で加圧された液体洗剤が吸引チューブを通じて注出ノズルから注出されると、注出された液体洗剤が計量室により計り取られる。そして、容器本体を傾けることによって、この計量室で計り取られた一定量の液体洗剤を洗濯機に投入することが可能となっている。
【特許文献１】実開平６−１４０５４号公報
【特許文献２】特開平８−２１７１１８号公報
【考案の開示】
【考案が解決しようとする課題】
【０００４】
ところで、このような従来の計量キャップを備えた液体注出容器は、必ずしも使い勝手のよいものとは言えなかった。すなわち、従来の計量キャップでは、上述したスクイズ操作により注出された液体洗剤を計量室で計り取った後に、容器本体を傾けて計量室内の液体洗剤を注ぎ出すといった操作を行う必要がある。このため、例えば注出ノズルから注出される液体を直接洗濯機に投入したり、衣服等に直接塗布したりすることについては考慮されておらず、また、計量室の形状は必ずしも液体を注ぎやすい形状とはなっていないため、使用者にとって必ずしも便利なものとは言えなかった。
【０００５】
そこで、本考案は、このような従来の事情に鑑みて提案されたものであり、スクイズ操作により液体を注出すると共に、注出された液体を計量可能とする液体注出容器において、更なる使い勝手の向上を可能とした液体注出容器を提供することを目的とする。
【課題を解決するための手段】
【０００６】
この目的を達成するために、請求項１に係る考案は、スクイズ操作により繰り返し弾性変形可能な胴部と、胴部の上端部に位置する口元部とを有する容器本体と、容器本体の口元部に装着キャップを介して取り付けられると共に、容器本体の胴部をスクイズ操作することにより容器本体に収容された液体を注出する液体注出機構と、装着キャップに取り付けられて、液体注出機構より注出された液体を計り取る計量部材とを備え、計量部材が、その取付位置から前方に突出されて下向きに湾曲した液溜め部を有することを特徴とする液体注出容器である。
【０００７】
また、請求項２に係る考案は、液体注出機構が、容器本体内に垂下される吸引チューブと、吸引チューブに接続されて先端部が液溜め部の内側に臨む注出ノズルとを有し、容器本体の胴部をスクイズ操作することによって、容器本体内で加圧された液体が吸引チューブを通じて注出ノズルの先端部より注出されることを特徴とする請求項１に記載の液体注出容器である。
【０００８】
また、請求項３に係る考案は、計量部材に、容量を表す段差部が液溜め部の深さ方向に少なくとも１つ以上設けられていることを特徴とする請求項１又は２に記載の液体注出容器である。
【０００９】
また、請求項４に係る考案は、液溜め部の底面中央部に、計量部材の先端部に向かって溝部が設けられていることを特徴とする請求項１〜３の何れか一項に記載の液体注出容器である。
【００１０】
また、請求項５に係る考案は、計量部材が、透明又は半透明プラスチック材料からなることを特徴とする請求項１〜４の何れか一項に記載の液体注出容器である。
【００１１】
また、請求項６に係る考案は、液溜め部の上面開口部の一部又は全てを覆うカバー部材を備えることを特徴とする請求項１〜４の何れか一項に記載の液体注出容器である。
【００１２】
また、請求項７に係る考案は、カバー部材が、計量部材の基端部にヒンジ部を介して上下方向に回動自在に取り付けられていることを特徴とする請求項６に記載の液体注出容器である。
【００１３】
また、請求項８に係る考案は、計量部材が、回動自在に取り付けられていることを特徴とする請求項１〜７の何れか一項に記載の液体注出容器である。
【００１４】
また、請求項９に係る考案は、計量部材が、着脱自在に取り付けられていることを特徴とする請求項１〜８の何れか一項に記載の液体注出容器である。
【００１５】
また、請求項１０に係る考案は、計量部材が、液溜め部の側面部から水平方向に延長された柄部を有し、柄部を構成する一対のアームが装着キャップの取付位置を挟み込んだ状態で前後方向にスライド可能に支持されることによって、装着キャップの取付位置に対して着脱自在とされていることを特徴とする請求項９に記載の液体注出容器である。
【考案の効果】
【００１６】
以上のように、本考案の請求項１に係る容器では、計量部材の液溜め部が取付位置から前方に突出されて下向きに湾曲した形状を有することから、この液溜め部で計り取られた液体を注ぎ易くすることが可能である。また、この計量部材の液溜め部は嘴（くちばし）に似た形状のため、容器全体を嘴を有するキャラクタなどに見立てることも可能である。
【００１７】
また、請求項２に係る考案では、簡便な構造によって液体注出機構を構成することが可能であり、スクイズ操作により容器本体内で加圧された液体を吸引チューブを通じて注出ノズルの先端部より適切に注出することが可能である。また、注出ノズルの先端部より注出された液体を直接塗布することも可能である。
【００１８】
また、請求項３に係る考案では、容量を表す段差部を設けることで、スクイズ操作により注出された液体を計量部材の液溜め部によって正確に計り取ることが可能である。また、このような段差部を設けることで、計量部材の強度を高めることも可能である。
【００１９】
また、請求項４に係る考案では、液溜め部の底面中央部に計量部材の先端部に向かって溝部を設けることで、液溜め部で計り取られた液体を溝部に沿って更に注ぎ易くすることが可能である。
【００２０】
また、請求項５に係る考案では、計量部材が透明又は半透明プラスチック材料からなることで、液溜め部に注出された液体を見ながら正確に計り取ることが可能である。
【００２１】
また、請求項６に係る考案では、液溜め部の上面開口部の一部又は全てをカバー部材が覆うことで、この液溜め部に外部から異物等が混入することを防ぐことが可能である。また、このカバー部材の形状を計量部材に合わせて嘴に似た形状とすれば、容器全体を嘴を有するキャラクタなどに見立てることも可能である。
【００２２】
また、請求項７に係る考案では、上下方向に回動自在に取り付けられたカバー部材によって液溜め部の上面開口部を容易に開閉することが可能である。
【００２３】
また、請求項８に係る考案では、計量部材を回動自在とすることで、例えば注出ノズルの先端部が液溜め部の内側に臨む位置から計量部材をずらすことが可能であり、これにより、注出ノズルから注出される液体を直接投入したり、直接塗布したりすることが可能である。
【００２４】
また、請求項９に係る考案では、計量部材を着脱自在とすることで、例えば液体洗剤や、液体漂白剤、柔軟仕上げ剤などの液体を計り取った後に、この計量部材ごと洗濯機に投入することも可能である。また、計量部材を取り外した状態では、注出ノズルから注出される液体を直接塗布することも可能である。
【００２５】
また、請求項１０に係る考案では、計量部材が液溜め部の側面部から水平方向に延長された柄部を有することで、この計量部材を取り外した際に持ち易くすることができる。また、柄部を構成する一対のアームが装着キャップの取付位置を挟み込んだ状態で前後方向にスライド可能に支持されることで、この計量部材を装着キャップの取付位置に対して容易に着脱することが可能である。
【考案を実施するための最良の形態】
【００２６】
以下、本考案を適用した液体注出容器について、図面を参照して詳細に説明する。
（第１の実施形態）
先ず、本考案の第１の実施形態として図１に示す液体注出容器１について説明する。
この液体注出容器１は、図１に示すように、例えば液体洗剤を収容する容器本体２と、容器本体２に収容された液体洗剤を注出する液体注出機構３と、液体注出機構３より注出された液体洗剤を計り取る計量部材４と、計量部材４の基端部にヒンジ部５ａを介して上下方向に回動自在に取り付けられたカバー部材５とを備えている。
【００２７】
容器本体２は、繰り返しスクイズ（押圧）操作することができるスクイズ容器として、例えばポリエチレン樹脂やポリプロピレン樹脂、ポリエステル樹脂などの比較的軟質な合成樹脂材料をブロー成形によってボトル状に成形したものからなる。この容器本体２の底部から筒状に起立した胴部は、繰り返し弾性変形（スクイズ変形）させることが可能な弾性復元力を有している。そして、この胴部の上端部に位置する口元部には、装着キャップ６が螺合により装着されている。
【００２８】
なお、容器本体２の形状については、図１に示す形状のものに必ずしも限定されるものではなく、使用する際に持ち易く、且つ、スクイズし易い形状のものであればよい。また、この容器本体２に収容される液体洗剤については、従来より一般に使用されている液体洗剤を収容することができる。
【００２９】
液体注出機構３は、図１及び図２に示すように、容器本体２内のほぼ底面部まで垂下された吸引チューブ７と、この吸引チューブ７に連通されると共に上方に向かって起立した状態から先端部が前下方に向かって湾曲した注出ノズル８とを有している。また、吸引チューブ７と注出ノズル８とは、例えばポリエチレン、ポリプロピレン、ナイロン、ポリ塩化ビニルなどの樹脂によって一体に形成されており、装着キャップ６の天面中央部を貫通した状態で容器本体２に取り付けられている。そして、この液体注出機構３では、容器本体２の胴部をスクイズ操作することによって、容器本体２内で加圧された液体洗剤が吸引チューブ７を通じて注出ノズル８の先端部より注出される。
【００３０】
計量部材４は、図１及び図２に示すように、装着キャップ６に装着される装着部９と、注出ノズル８の先端部から注出された液体洗剤を溜める液溜め部１０とを有している。計量部材４は、計量時に液溜め部１０内の液体洗剤を目視できるように、例えばポリエチレン、ポリプロピレン、ポリエステル、ポリカーボネート、ポリ塩化ビニル、アクリル、ナイロン、ポリスチレンなどの透明又は半透明プラスチック材料からなることが好ましい。これにより、液溜め部１０に注出された液体洗剤を見ながら正確に計り取ることが可能である。
【００３１】
装着部９は、注出ノズル８を貫通させた状態で装着キャップ６に嵌合される部分であり、装着キャップ６の外形に対応した形状を有すると共に、上面部に注出ノズル８を貫通させる開口部９ａを有している。計量部材４は、装着部９が装着キャップ６に嵌合されることによって、装着キャップ６に着脱自在に取り付けられると共に、装着キャップ６の軸回りに回動自在となっている。
【００３２】
液溜め部１０は、注出ノズル８から注出された液体洗剤を計量する部分であり、その取付位置から前方に突出されて下向きに湾曲した形状を有している。一方、注出ノズル８の先端部は、この液溜め部１０の内側に臨むように配置されている。また、液溜め部１０の底面中央部には、計量部材４の先端部に向かって溝部１１が設けられている。さらに、計量部材４には、容量を表す段差部１２が液溜め部１０の深さ方向に所定の間隔で並んで設けられている。
【００３３】
カバー部材５は、図１及び図２に示すように、計量部材４の基端部にヒンジ部５ａを介して上下方向に回動自在に取り付けられることによって、注出ノズル８を含む計量部材４の上面開口部を全面的に覆うことが可能となっている。カバー部材５は、計量部材４と同様に、例えばポリエチレン、ポリプロピレン、ポリエステル、ポリカーボネート、ポリ塩化ビニル、アクリル、ナイロン、ポリスチレンなどの透明又は半透明プラスチック材料からなる。また、カバー部材５は、計量部材４の形状に合わせて、その取付位置から前方に突出されて上向きに湾曲した形状を有している。さらに、カバー部材５には、計量部材４と同様に段差部５ｂが設けられている。
【００３４】
以上のような構造を有する液体注出容器１では、図３に示すように、カバー部材５を開けた状態から容器本体２の胴部をスクイズ操作することによって、容器本体２内で加圧された液体洗剤Ｌが吸引チューブ７を通じて注出ノズル８の先端部より注出されると、注出された液体洗剤Ｌが計量部材４の液溜め部１０により計り取られる。そして、容器本体２を前方に傾けることによって、この液溜め部１０で計り取られた一定量の液体洗剤Ｌを洗濯機に投入することが可能となっている。なお、非使用時には、カバー部材５を閉じることによって、計量部材４の液溜め部１０に外部から異物等が混入することを防ぐことができる。
【００３５】
本考案の液体注出容器１では、上述した計量部材４の液溜め部１０が取付位置から前方に突出されて下向きに湾曲した形状を有することから、この液溜め部１０で計り取られた液体洗剤Ｌを注ぎ易くすることが可能である。また、この液溜め部１０の底面中央部には、計量部材４の先端部に向かって溝部１１が設けられていることから、液溜め部１０で計り取られた液体洗剤Ｌを溝部１１に沿って更に注ぎ易くすることが可能である。
【００３６】
また、本考案の液体注出容器１では、液溜め部１０に容量を表す段差部１２を設けることで、スクイズ操作により注出された液体洗剤Ｌを液溜め部１０によって正確に計り取ることが可能である。さらに、このような段差部１２，５ｂを計量部材４及びカバー部材５に設けることで、これら計量部材４及びカバー部材５の強度を高めることも可能である。
【００３７】
なお、計量部材４は、このような容量を表す段差部１２に限らず、液溜め部１０の周囲に罫線などを入れることによって、容量を表す目盛りを形成することも可能である。なお、液溜め部１０の容量が液体洗剤Ｌの１回の使用量に相当する場合には、このような容量を表す段差部１２や目盛りなどを設けない構成とすることも可能である。
【００３８】
ここで、本考案の液体注出容器１では、上述した計量部材４及びカバー部材５が嘴（くちばし）に似た形状を有することから、この容器全体を嘴を有するキャラクタなどに見立てることが可能である。すなわち、本考案の液体注出容器１では、上述した液体洗剤を注ぎ易くするといった機能と合わせて、この容器を例えばペリカンなどのキャラクタに見立てるといったデザイン性を付加することが可能である。
【００３９】
また、本考案の液体注出容器１では、上述した液溜め部１０で液体洗剤Ｌを図り取った後に洗濯機に投入するといった操作に限らず、例えば図４に示すように、装着キャップ６の軸回りに回動自在に取り付けられた計量部材４を注出ノズル８の先端部が液溜め部１０の内側に臨む位置から左右にずらすことで、この注出ノズル８から注出される液体洗剤を直接洗濯機に投入したり、洗濯物などに直接塗布したりすることが可能である。
【００４０】
また、本考案の液体注出容器１では、図５に示すように、装着キャップ６に着脱自在に取り付けられた計量部材４を取り外して、注出ノズル８から注出された液体洗剤を計量部材４の液溜め部１０で計り取った後に、洗濯機に投入することも可能である。
【００４１】
なお、本考案の液体注出容器１では、上記構成に必ずしも限定されるものではなく、種々の変更を加えることが可能である。例えば、本考案の液体注出容器１では、上述したカバー部材５が計量部材４を全面的に覆う構成に限らず、図６（ａ）に示すように、カバー部材５が計量部材４の先端部の一部を除いて覆う構成とすることができる。この場合、カバー部材５を閉じた状態のまま、液溜め部１０で計り取られた液体洗剤を注出するといったことが可能である。また、図６（ｂ）に示すように、カバー部材５を省いた構成とすることも可能である。この場合、計量部材４を取り外して、注出ノズル８から注出された液体洗剤を計量部材４の液溜め部１０で計り取った後に、この計量部材４ごと洗濯機に投入することも可能である。
【００４２】
なお、容器本体２に収容される液体については、特に限定されるものではなく、上述した液体洗剤に限らず、例えば液体漂白剤や柔軟仕上げ剤などの洗濯用液状組成物であってもよい。
【００４３】
（第２の実施形態）
次に、本考案の第２の実施形態として図７及び図８に示す液体注出容器２１について説明する。
この液体注出容器２１は、図７及び図８に示すように、例えば液体洗剤を収容する容器本体２２と、容器本体２２に収容された液体洗剤を注出する液体注出機構２３と、液体注出機構２３より注出された液体洗剤を計り取る計量部材２４と、液体周出機構２３及び計量部材２４を覆うカバー部材２５とを備えている。
【００４４】
容器本体２２は、繰り返しスクイズ（押圧）操作することができるスクイズ容器として、例えばポリエチレン樹脂やポリプロピレン樹脂、ポリエステル樹脂などの比較的軟質な合成樹脂材料をブロー成形によってボトル状に成形したものからなる。この容器本体２２の底部から筒状に起立した胴部は、繰り返し弾性変形（スクイズ変形）させることが可能な弾性復元力を有している。そして、この胴部の上端部に位置する口元部には、装着キャップ２６が螺合により装着されている。
【００４５】
なお、容器本体２２の形状については、図７及び図８に示す形状のものに必ずしも限定されるものではなく、使用する際に持ち易く、且つ、スクイズし易い形状のものであればよい。また、この容器本体２２に収容される液体洗剤については、従来より一般に使用されている液体洗剤を収容することができる。
【００４６】
液体注出機構２３は、図９に示すように、容器本体２内のほぼ底面部まで垂下された吸引チューブ２７と、この吸引チューブ２７に連通されると共に、後述するカバー部材２５の導通部３４内を通って先端部がカバー部材２５の下面開口部３３に臨む注出ノズル２８とを有している。また、吸引チューブ２７と注出ノズル２８とは、例えばポリエチレン、ポリプロピレン、ポリ塩化ビニル、ナイロンなどの樹脂によって一体に形成されており、装着キャップ２６の天面中央部を貫通した状態で容器本体２２に取り付けられている。そして、この液体注出機構２３では、容器本体２２の胴部をスクイズ操作することによって、容器本体２２内で加圧された液体洗剤が吸引チューブ２７を通じて注出ノズル２８の先端部より注出される。
【００４７】
計量部材２４は、図７、図８及び図９に示すように、例えばポリエチレン、ポリプロピレン、ポリエステル、ポリカーボネート、ポリ塩化ビニル、アクリル、ナイロン、ポリスチレンなどのプラスチック材料からなる。また、計量部材２４は、注出ノズル２８の先端部から注出された液体洗剤を溜める液溜め部２９と、液溜め部２９の側面部から水平方向に延長された柄部３０とを有している。
【００４８】
液溜め部２９は、注出ノズル２８から注出された液体洗剤を計量する部分であり、前方に突出されて下向きに湾曲したスプーン形状を有している。一方、注出ノズル２８の先端部は、カバー部材２５の下面開口部３３から液溜め部２９の内側に臨むように配置されている。
【００４９】
柄部３０は、使用者が把持する部分であり、液溜め部２９の基端部から互いに平行に延びる一対のアーム３０ａ，３０ａを有している。また、柄部３０は、カバー部材２５に装着される部分であり、これに対応して、カバー部材２５の側面部には、一対のアーム３０ａ，３０ａを案内するガイド溝３１が周方向に亘って形成されている。そして、一対のアーム３０ａ，３０ａは、装着キャップ２６を挟み込んだ状態でガイド溝３１に沿って前後方向にスライド可能に支持される。これにより、計量部材２４を着脱自在に取り付けることが可能となっている。
【００５０】
カバー部材２５は、図９に示すように、計量部材２４と同様に、例えばポリエチレン、ポリプロピレン、ポリエステル、ポリカーボネート、ポリ塩化ビニル、アクリル、ナイロン、ポリスチレンなどのプラスチック材料からなる。そして、このカバー部材２５は、装着キャップ２６に取り付けられている。また。カバー部材２５は、計量部材２４の液溜め部２９を閉塞する矩形平板状の蓋部３２と、蓋部３２の下面部に形成された円形状の下面開口部３３と、蓋部３２の上面部にドーム状に形成されて注出ノズル２８の先端部を下面開口部３３へと導く導通部３４とを有している。そして、このカバー部材２５は、計量部材２４が取り付けられた状態において、蓋部３２により計量部材２４の先端部の一部を除いて覆うことが可能となっている。
【００５１】
以上のような構造を有する液体注出容器２１では、計量部材２４が取り付けられた状態において、容器本体２２の胴部をスクイズ操作することによって、容器本体２２内で加圧された液体洗剤が吸引チューブ２７を通じて注出ノズル２８の先端部より注出されると、注出された液体洗剤が計量部材２４の液溜め部２９により計り取られる。そして、容器本体２２を前方に傾けることによって、この液溜め部２９で計り取られた一定量の液体洗剤を洗濯機に投入することが可能となっている。
【００５２】
本考案の液体注出容器２１では、上述した計量部材２４が取り付けられた状態において、この計量部材２４の液溜め部２９が前方に突出されて下向きに湾曲したスプーン形状を有することから、液溜め部２９で計り取られた液体洗剤を注ぎ易くすることが可能である。
【００５３】
一方、計量部材２４を取り外した場合には、注出ノズル２８から注出される液体洗剤を直接洗濯機に投入したり、洗濯物などに直接塗布したりすることが可能である。また、注出ノズル２８から注出された液体洗剤を計量部材２４の液溜め部２９で計り取った後に、洗濯機に投入することや、この計量部材４ごと洗濯機に投入することも可能である。
【００５４】
なお、本考案の液体注出容器２１では、上記構成に必ずしも限定されるものではなく、種々の変更を加えることが可能である。例えば、本考案の液体注出容器２１では、上述したカバー部材５が計量部材４の一部を覆う構成に限らず、カバー部材５が計量部材４を全面的に覆う構成とすることが可能である。この場合、計量部材２４及びカバー部材２５には、計量時に液溜め部２９内の液体洗剤を見え易くするため、例えばポリエチレン、ポリプロピレン、ポリエステル、ポリカーボネート、ポリ塩化ビニル、アクリル、ナイロン、ポリスチレンなどの透明又は半透明プラスチック材料を用いることが好ましい。これにより、液溜め部１０に注出された液体洗剤を見ながら正確に計り取ることが可能である。
【００５５】
また、計量部材２４の液溜め部２９には、容量を表す段差部や目盛りなどを設けた構成としてもよい。これにより、スクイズ操作により注出された液体を計量部材２４の液溜め部２９によって正確に計り取ることが可能である。
【００５６】
なお、容器本体２２に収容される液体については、特に限定されるものではなく、上述した液体洗剤に限らず、例えば液体漂白剤や柔軟仕上げ剤などの洗濯用液状組成物であってもよい。
【図面の簡単な説明】
【００５７】
【図１】図１は、第１の実施形態として示す液体注出容器の外観を示す斜視図である。
【図２】図２は、図１に示す液体注出容器のカバー部材を閉塞した状態を示す側方段面図である。
【図３】図３は、図１に示す液体注出容器の液体洗剤を図り取った状態を示す側方段面図である。
【図４】図４は、図１に示す液体注出容器の別の操作形態を示す斜視図である。
【図５】図５は、図１に示す液体注出容器の別の操作形態を示す側方段面図である。
【図６】図６は、図１に示す液体注出容器の変形例を示す側方段面図である。
【図７】図７は、第２の実施形態として示す液体注出容器の外観を示す斜視図である。
【図８】図８は、図７に示す液体注出容器の計量部材が容器本体に装着された状態を示す斜視図である。
【図９】図９（ａ）は、図７に示す液体注出容器の側面図であり、図９（ｂ）は、その要部を線分Ｘ−Ｘ’により切断した断面図である。
【符号の説明】
【００５８】
１…液体注出容器  ２…容器本体  ３…液体注出機構  ４…計量部材  ５…カバー部材  ６…装着キャップ  ７…吸引チューブ  ８…注出ノズル  ９…装着部  １０…液溜め部  １１…溝部  １２…段差部  ２１…液体注出容器  ２２…容器本体  ２３…液体注出機構  ２４…計量部材  ２５…カバー部材  ２６…装着キャップ  ２７…吸引チューブ  ２８…注出ノズル  ２９…液溜め部  ３０…柄部  ３０ａ…アーム  ３１…ガイド溝  ３２…蓋部  ３３…下面開口部  ３４…導通部
【図１】
0003132606.tif 000003
【図２】
0003132606.tif 000004
【図３】
0003132606.tif 000005
【図４】
0003132606.tif 000006
【図５】
0003132606.tif 000007
【図６】
0003132606.tif 000008
【図７】
0003132606.tif 000009
【図８】
0003132606.tif 000010
【図９】
0003132606.tif 000011